(57)【要約】      （修正有）【課題】潤滑層の形成を容易にする滑走用パネルの提供。【解決手段】滑走用パネル１０は、板２８と、この板２８の表面を覆う表側パラフィン層３２と板２８の裏面を覆う裏側パラフィン層３４とを備えている。この表側パラフィン層３２の表面は、滑走面を形成している。進水装置は、固定台と、固定台に対して滑走する滑走台と、滑走用パネル１０とを備えている。この滑走用パネル１０は、固定台に固定されている。滑走台は、滑走用パネル１０で形成する滑走面を滑走する。【選択図】図３
2015123814.tif 000002
【特許請求の範囲】
【請求項１】
板と、この板の表面を覆おう表側パラフィン層と板の裏面を覆う裏側パラフィン層とを備えており、
この表側パラフィン層の表面が滑走面にされている滑走用パネル。
【請求項２】
上記板の表面から裏面まで貫通する複数の孔が形成されており、
この孔内に位置するパラフィンからなるパラフィン連結部を備えており、
上記表側パラフィン層と裏側パラフィン層とパラフィン連結部とが、一体にされて板に固定されている請求項１に記載の滑走用パネル。
【請求項３】
上記表側パラフィン層の厚さＴｆと、裏側パラフィン層の厚さＴｂとの比Ｔｆ／Ｔｂが０．７以上１．３以下にされている請求項１又は２に記載の滑走用パネル。
【請求項４】
上記表側パラフィン層及び裏側パラフィン層の線膨張率α１と、板の線膨張率α２との比α２／α１が０．５以上１．５以下である請求項１から３のいずれかに記載の滑走用パネル。
【請求項５】
上記板が樹脂からなっている請求項１から４のいずれかに記載の滑走用パネル。
【請求項６】
上記表側パラフィン層及び裏側パラフィン層の融点Ｔ１が板の融点Ｔ２より低くされている請求項１から５のいずれかに記載の滑走用パネル。
【請求項７】
上記表側パラフィン層の表面に複数のへこみが形成されており、
このへこみが板を貫通する複数の孔の位置に対応する、表側パラフィン層の表面に形成されている請求項２に記載の滑走用パネル。
【請求項８】
一対の接続部を備えており、
上記板の一方端に一対の接続部の一方が形成されて、他方端に一対の接続部の他方が形成されており、
この接続部が複数の凸部とこの複数の凸部の間に形成された複数の凹部とを備えており、
この複数の凸部が一方端及び他方端から突出しており、
この凸部と凹部とが嵌め合わせされる形状に形成されている請求項１から７に記載の滑走用パネル。
【請求項９】
固定台と固定台に対して滑走する滑走台と滑走用パネルとを備えており、
この滑走用パネルが、板と、この板の表面を覆う表側パラフィン層と板の裏面を覆う裏側パラフィン層とを備えており、
この滑走用パネルが固定台に固定されており、
この表側パラフィン層の表面が滑走面を形成しており、
上記滑走台がこの滑走用パネルで形成した滑走面を滑走する進水装置。
【発明の詳細な説明】
【技術分野】
【０００１】
本発明は重量物を載せて滑らせる、滑走用パネルに関する。
【背景技術】
【０００２】
重量物の運搬では、重量物を移動させるために、滑走台が用いられている。重量物が滑走台の滑走面を滑って移動する。例えば、船舶等の進水には、進水装置が使用されている。この進水装置は、傾斜した固定台と、この固定台を滑り降りる滑走台とを備えている。この滑走台に船舶等が載せられる。この滑走台が固定台を滑り降る。船舶等が滑走台と共に、陸から海に滑り降りる。この様にして、船舶等が進水させられる。
【０００３】
この固定台上に潤滑層が形成された進水装置がある。この潤滑層は、固定台に対して滑走台を滑走し易くしている。例えば、潤滑層は、固定台表面にヘッド（パラフィン組成物）が何重にも重ね合わされて形成される。この潤滑層は使用の度、形成される。この潤滑層は、１００℃以上に加熱溶解したヘッドを塗り重ねて、所定の厚さに調整される。潤滑層の形成作業は、手間が掛かる。進水装置は屋外に設置されている。潤滑層の形成作業は屋外で行われる。潤滑層の形成作業は、天候等の影響も受けやすい。
【０００４】
また、潤滑層は、想定温度より使用時の温度が高過ぎると、一部が溶解して溶け出すことがある。潤滑層は、想定温度より使用温度が低すぎると、ひび割れが発生することがる。この潤滑層は、天候や気温により、その組成の調整が必要とされる。
【０００５】
特許文献１には、固定台及び滑走台の滑走面を樹脂等とし、固定台と滑走台との間に軟石鹸とパラフィンとの混合物を介在させた進水装置が提案されている。この進水装置は、従来の進水装置に比べて、潤滑層の形成作業が軽減されている。天候や気温による、潤滑層の組成の調整が不要にされている。特許文献１の進水装置は、従来の進水装置に比べて、潤滑層の形成の手間が軽減されている。
【先行技術文献】
【特許文献】
【０００６】
【特許文献１】特開２０１２−１２０１公報
【発明の概要】
【発明が解決しようとする課題】
【０００７】
特許文献１の進水装置でも、屋外で固定台上への潤滑層の形成作業が行われる。また。屋外で水分を含んだ木製の固定台では、潤滑層そのものが付着し難くなる。この進水装置でも、現地における潤滑層の形成作業は、容易ではない。
【０００８】
本発明の目的は、潤滑層の形成を容易にする滑走用パネルの提供にある。
【課題を解決するための手段】
【０００９】
本発明に係る滑走用パネルは、板と、この板の表面を覆おう表側パラフィン層と板の裏面を覆う裏側パラフィン層とを備えている。この表側パラフィン層の表面は、滑走面にされている。
【００１０】
好ましくは、上記板の表面から裏面まで貫通する複数の孔が形成されている。滑走用パネルは、この孔内に位置するパラフィンからなる連結部を備えている。上記表側パラフィン層と裏側パラフィン層と連結部とが、一体にされて板に固定されている。
【００１１】
好ましくは、上記表側パラフィン層の厚さＴｆと、裏側パラフィン層の厚さＴｂとの比Ｔｆ／Ｔｂが０．７以上１．３以下にされている。
【００１２】
好ましくは、上記表側パラフィン層及び裏側パラフィン層の線膨張率α１と、板の線膨張率α２との比α２／α１は、０．５以上１．５以下である。
【００１３】
好ましくは、上記板が樹脂からなっている。
【００１４】
好ましくは、上記表側パラフィン層及び裏側パラフィン層の融点Ｔ１は、板の融点Ｔ２より低くされている。
【００１５】
好ましくは、上記表側パラフィン層の表面に複数のへこみが形成されている。このへこみは、板を貫通する複数の孔の位置に対応する、表側パラフィン層の表面に形成されている。
【００１６】
好ましくは、このパネルは、一対の接続部を備えている。上記板の一方端に一対の接続部の一方が形成されている。他方端に一対の接続部の他方が形成されている。この接続部が複数の凸部とこの複数の凸部の間に形成された複数の凹部とを備えている。この複数の凸部が一方端及び他方端から突出している。この凸部と凹部とが嵌め合わせされる形状に形成されている。
【００１７】
本発明に係る進水装置は、固定台と固定台に対して滑走する滑走台と滑走用パネルとを備えている。この滑走用パネルは、板と、この板の表面を覆う表側パラフィン層と板の裏面を覆う裏側パラフィン層とを備えている。この滑走用パネルは、固定台に固定されている。この表側パラフィン層の表面は、滑走面を形成している。上記滑走台は、この滑走用パネルで形成した滑走面を滑走する。
【発明の効果】
【００１８】
本発明に係る滑走用パネルにパラフィン層が形成されているので、現地で潤滑層の形成作業が不要となる。この滑走用パネルは、表側パラフィン層と裏側パラフィン層とを備えているので、滑走用パネルの反りが抑制されている。この滑走用パネルを用いることで、平坦な潤滑層の形成が容易にされている。
【図面の簡単な説明】
【００１９】
【図１】図１は、本発明の一実施形態に係る滑走用パネルを用いた進水装置が示された概念図である。
【図２】図２は、図１の進水装置の固定台、滑走台及び滑走用パネルの一部が示された説明図である。
【図３】図３（ａ）は図１の進水装置に使用される滑走用パネルが示された平面図であり、図３（ｂ）は図３（ａ）の線分Ｂ−Ｂに沿った断面図である。
【図４】図４は、図３（ｂ）の矢印IVで示された部分拡大図である。
【図５】図５（ａ）は図３の滑走用パネルの使用状態が示された底面図であり、図５（ｂ）はその側面図である。
【発明を実施するための形態】
【００２０】
以下、適宜図面が参照されつつ、好ましい実施形態に基づいて本発明が詳細に説明される。
【００２１】
図１には、進水装置２が船体４と共に示されている。この図１の左右方向が進水装置２の巾方向であり、紙面に垂直な方向が進水装置２の長手方向である。この紙面に垂直な方向の向きが、船体４の滑る降りる向きである。
【００２２】
この進水装置２は、固定台６、滑走台８、滑走用パネル１０、地盤木１２、矢盤木１４（１４ａ、１４ｂ）及び駒盤木１６を備えている。この地盤木１２は、船台１８の上に固定されている。この地盤木１２の上に固定台６が固定されている。滑走台８の上に矢盤木１４（１４ａ、１４ｂ）が載置されている。この矢盤木１４の上に駒盤木１６が載置されている。この駒盤木１６に船体４が載置されている。
【００２３】
固定台６は、その上面に表面２０を備えている。この表面２０は、水平面に対して傾斜している。この表面２０は、進水装置２の長手方向の前方に向かって下向きに傾斜している。この傾斜の大きさを鉛直方向距離対水平方向距離の比で表すと、この傾斜の大きさは、例えば、４０／１０００から７０／１０００である。この固定台６は、例えば木製である。
【００２４】
滑走台８は、その下面に滑走面２４を備えている。この滑走面２４は、平面である。この滑走台８は、例えば木製である。
【００２５】
図２の矢印Ｘは、滑走台８が固定台６に対して滑り降りる向きを示している。この向きＸは、船体４が滑り降りる向きである。固定台６の表面２０は、矢印Ｘの向きに傾斜している。この進水装置２では、固定台６に対して、船体４が載置された滑走台８が滑り降りる。
【００２６】
図３（ａ）及び図３（ｂ）には、滑走用パネル１０が示されている。図３（ｂ）に示される様に滑走用パネル１０は、板２８と、一対の接続部３０と、表側パラフィン層３２と、裏側パラフィン層３４と、連結部３６と備えている。
【００２７】
板２８は、滑走台２の長手方向を、その長手方向とする板状に形成されている。板２８は、略長方形の表面３８と裏面４０とを備えている。表面３８は、上下方向上向きに面している。裏面４０は、上下方向下向きに面している。この板２８には、多数の円形の孔４２が形成されている。この孔４２は、表面３８から裏面４０まで貫通している。この孔４２は、表面３８及び裏面４０の略全面に等間隔で形成されている。この板２８は、樹脂からなっている。板２８の硬度は、表側パラフィン層３２や裏側パラフィン層３４のそれより大きくされている。板２８は、滑走用パネル１０の骨材として機能する。
【００２８】
一対の接続部３０の一方の接続部３０ａは、板２８の長手方向の一方端に一体に固定されている。他方の接続部３０ｂは、板２８の長手方向の他方端に一体に固定されている。この滑走用パネル１０では、図３（ｂ）に示される様に、一対の接続部３０は、板２８の裏面４０に一体に固定されている。
【００２９】
図３（ａ）に示される様に、一方の接続部３０ａは、複数の凸部４４と、凸部４４の間に形成された複数の凹部４６とを備えている。この凸部４４は、板２８の一方端から長手方向外向きに突出している。他方の接続部３０ｂは、複数の凸部４８と、凸部４８の間に形成された複数の凹部５０とを備えている。この凸部４８は、板２８の他方端から長手方向外向きに突出している。一方の凸部４４は、他方の凹部５０と嵌め合わせて接続可能な形状を備えている。他方の凸部４８は、一方の凹部４６と嵌め合わせて接続可能な形状を備えている。一対の接続部３０は、板２８と同じ材質からなってもよい。一対の接続部３０と板２８とが一体で成型されてもよい。
【００３０】
表側パラフィン層３２は、板２８の表面３８に固定されている。表側パラフィン層３２は、板２８の表面３８を覆っている。表側パラフィン層３２は、表面３８の全面を覆っている。この表側パラフィン層３２の表面５２は、板２８の表面３８に沿っている。裏側パラフィン層３４は、板２８の裏面４０に固定されている。裏側パラフィン層３４は、板２８の裏面４０を覆っている。裏側パラフィン層３４は、板２８の裏面４０のうち接続部３０が固定されている部分を除く、裏面４０の全面を覆っている。この裏側パラフィン層３４の裏面４０は、板２８の裏面４０に沿っている。
【００３１】
この滑走用パネル１０は、接続部３０を備えていなくてもよい。裏側パラフィン層３４が、表側パラフィン層３２と同様に、裏面４０の全面を覆ってもよい。表側パラフィン層３２が表面３８を覆う面積と裏側パラフィン層３４が裏面４０を覆う面積とが同じにされていてもよい。
【００３２】
連結部３６は、板２８の孔４２に位置している。連結部３６は、孔４２を満たしている。連結部３６は、表側パラフィン層３２及び裏側パラフィン層３４と同様に、パラフィンからなっている。表側パラフィン層３２、裏側パラフィン層及び連結部３６は、一体にされている。
【００３３】
図４のφＤｈは、孔４２の直径を示している。矢印Ｔｐは、板２８の厚さを示している。矢印Ｔｆは、表側パラフィン層３２の厚さを示している。両矢印Ｔｂは、裏側パラフィン層３４の厚さを示している。この滑走用パネル１０では、厚さＴｆと厚さＴｂとが等しくされている。
【００３４】
図４に示される様に、表側パラフィン層３２の表面５２には、へこみ５４が形成されている。図４の両矢印Ｌｄは、へこみ５４の深さを示している。φＤｄは、このへこみ５４の直径を示している。このへこみ５４は、表面５２から僅かにへこんで形成されている。このへこみの直径φＤｄは、孔４２の直径φＤｈと略同じにされている。この直径φＤｄは、直径φＤｈより大きくてもよいし、小さくてもよい。このへこみ５４は、裏側パラフィン層３４にも、表側パラフィン層３２と同様に形成されてもよい。
【００３５】
図５（ａ）及び図５（ｂ）には、使用状態の滑走用パネル１０の底面図が示されている。この滑走用パネル１０が複数枚準備されている。図５（ａ）の中央の滑走用パネル１０の一方の接続部３０ａが他の滑走用パネル１０の他方の接続部３０ｂに接続されている。この中央の滑走用パネル１０の他方の接続部３０ｂが更に他の滑走用パネル１０の一方の接続部３０ａに接続されている。この様にして、複数の滑走用パネル１０が長手方向に接続されて並べられる。
【００３６】
この滑走用パネル１０は、固定台６の上に固定される。滑走用パネル１０は表面２０の上に固定される。滑走用パネル１０は、例えば、固定台６にねじ止めされる。図５に示されるように、複数の滑走用パネル１０が長手方向に接続されて並べられる。複数の滑走用パネル１０が並べられる。複数の滑走用パネル１０の表面５２が連続した一平面を形成する。この一平面が、滑走台８が滑走する滑走面を形成する。この滑走面を形成するために必要な長さに、滑走用パネル１０が並べられている。
【００３７】
滑走用パネル１０の表面５２に、潤滑剤５６が塗られる。この潤滑剤５６は、例えば、軟石鹸からなる。この潤滑剤が塗られた、滑走用パネル１０で形成する滑走面を、滑走台８が滑走する。船体４が陸から海に向かって送り出される。
【００３８】
船体等が載せられた滑走台８が滑走するときに、滑走用パネル１０で形成する滑走面は、例えば、０．１ＭＰａから０．３ＭＰａの圧力を受ける。この滑走用パネル１０で形成する滑走面は、この圧力に十分に耐えうる。
【００３９】
この進水装置２では、滑走用パネル１０が接続部３０を備えている。この接続部３０より、複数の滑走用パネル１０が接続されて、固定台６の滑走面を形成している。この滑走用パネル１０は、例えば、長さ２ｍ、巾０．６ｍの大きさで作成され得る。この大きさの滑走用パネル１０の質量は、例えば１７ｋｇである。この滑走用パネル１０は持ち運び可能にされている。この滑走用パネル１０が固定台６に固定可能にされている。この進水装置２は、野外で潤滑層を形成する必要がない。この進水装置２では、潤滑層の形成作業が容易されている。
【００４０】
この接続部３０は、複数の凸部４４、４８が複数の凹部４６、５０と嵌め合わされて接続されている。これにより、一の滑走用パネル１０と他の滑走用パネル１０との位置合わせが容易にされている。また、一の滑走用パネル１０と他の滑走用パネル１０との位置ずれが抑制されている。
【００４１】
また、船体４が進水した後に、滑走面を形成する滑走用パネル１０毎に分解される。この進水装置２では、滑走用パネル１０毎に回収される。従来は、進水後に潤滑層を剥離して撤去していた。この滑走用パネル１０を用いることで、撤去作業も容易にされている。
【００４２】
この滑走用パネル１０では、板２８の表面３８と裏面４０とが表側パラフィン層３２と裏側パラフィン層３４とで覆われている。パラフィンと他の材質とを貼り合わせると、線膨張率の差により、反りが生じ易い。表側パラフィン層３２と裏側パラフィン層３４とが板２８を挟み込むことで、滑走用パネル１０が反ることが抑制されている。この表側パラフィン層３２の表面５２が滑走面にされている。この滑走用パネル１０により、反りが抑制された滑走面が形成されている。反りが抑制されることで、表側パラフィン層３２と裏側パラフィン層３４とにひび割れが生じることが抑制されている。
【００４３】
この反りを抑制する観点から、上記表側パラフィン層３２の厚さＴｆと、裏側ラフィン層３４の厚さＴｂとは同じにされることが好ましい。この観点から、比Ｔｆ／Ｔｂは、好ましくは０．７以上であり、更に好ましくは０．８以上であり、特に好ましくは０．９以上である。比Ｔｆ／Ｔｂは、好ましくは、１．３以下であり、更に好ましくは１．２以下であり、特に好ましくは１．１以下である。
【００４４】
同様に、反りを抑制する観点から、表側パラフィン層３２及び裏側パラフィン層３４の線膨張率α１と、板の線膨張率α２との差は小さくされることが好ましい。この観点から、比α２／α１は、好ましくは０．５以上であり、更に好ましくは０．６以上であり、特に好ましくは０．７以上である。比α２／α１は、好ましくは１．５以下であり、更に好ましくは１．４以下であり、特に好ましくは１．３以下である。
【００４５】
板２８にはその全面に複数の孔４２が形成されている。この孔４２を介して、表側パラフィン層３２、裏側パラフィン層３４及び連結部３６が一体に形成されている。これにより、表側パラフィン層３２が板２８にしっかりと固定されている。孔４２が板２８の表面３８及び裏面４０の全体に所定の間隔で形成されているので、表側パラフィン層３２及び裏側パラフィン層３４がより強固に板２８に固定されている。この表側パラフィン層３２及び裏側パラフィン層３４の位置ずれが抑制されている。
【００４６】
この滑走用パネル１０では、表側パラフィン層３２、裏側パラフィン層３４及び連結部３６が一体に形成されているので、ひび割れが抑制されている。ひび割れが抑制されているので、表側パラフィン層３２、裏側パラフィン層３４及び連結部３６を比較的に高融点のパラフィンで形成しても、低温でのひび割れの発生が抑制される。高融点のパラフィンを用いることで、気温が高くてパラフィンが溶け出すことが抑制される。高融点のパラフィンを用いることで、従来よりも広い温度範囲で使用可能な、滑走用パネル１０が得られ得る。
【００４７】
この滑走用パネル１０では、表側パラフィン層３２及び裏側パラフィン層３４の融点Ｔ１は、板２８の融点Ｔ２より低くされている。板２８は、滑走用パネル１０の骨材として機能している。更に、溶解したパラフィンに、この板２８を浸漬させることで、板２８に固定された表側パラフィン層３２及び裏側パラフィン層３４を形成することができる。これにより、この滑走用パネル１０の制作が容易にされている。更に、使用後の滑走用パネル１０の表側パラフィン層３２及び裏側パラフィン層３４を溶解させて、再度、表側パラフィン層３２及び裏側パラフィン層３４を形成し直すこともできる。この滑走用パネル１０は再生利用が容易にされている。
【００４８】
この滑走用パネル１０では、表側パラフィン層３２の表面５２にへこみ５４が形成されている。このへこみ５４により、塗られた潤滑剤５６が表面５２に保持される。これにより、滑走台８が滑走し易くされている。推進装置２のように、表面５２が傾斜させられても、潤滑剤５６が保持されやすい。
【００４９】
この滑走用パネル１０では、へこみ５４が孔４２の位置に対応して形成されているので、へこみ５４は表面５２の全体に形成されている。これにより、表面５２の全体が滑走し易くされている。この滑走用パネル１０では、溶解したパラフィンを板２８に付着させることで、パラフィンが固化したときに、孔４２の位置にへこみ５４が形成され易い。この板２８を用いることで、へこみ５４は容易に形成される。
【産業上の利用可能性】
【００５０】
以上説明された滑走用パネルは、重量物の運搬に広く使用しうる。傾斜させて滑らせるのみならず、水平方向に滑らせるものにも使用しうる。例えば、既設の建物を移動させる、いわゆる引き屋の作業にも使用されうる。
【符号の説明】
【００５１】
２・・・進水装置
４・・・船体
６・・・固定台
８・・・滑走台
１０・・・滑走用パネル
１２・・・地盤木
１４・・・矢盤木
１６・・・駒盤木
１８・・・船台
２０・・・表面
２４・・・滑走面
２８・・・板
３０・・・接続部
３２・・・表側パラフィン層
３４・・・裏側パラフィン層
３６・・・連結部
３８・・・表面
４０・・・裏面
４２・・・孔
４４・・・凸部
４６・・・凹部
４８・・・凸部
５０・・・凹部
５２・・・表面
５４・・・へこみ
５６・・・潤滑剤
【図１】
2015123814.tif 000003
【図２】
2015123814.tif 000004
【図３】
2015123814.tif 000005
【図４】
2015123814.tif 000006
【図５】
2015123814.tif 000007